(57)【要約】【課題】構築コストを抑制しつつセキュリティレベルを向上させることができるセキュリティシステムを提供すること。【解決手段】セキュリティシステムは、窓の施解錠状態を示すＩＤ信号を送信するセンサ装置２０，３０と、これらとの間で通信を行って窓の施解錠状態を監視する監視モード及び監視とともに窓が解錠された場合に警報を発する警戒モードを有するモニタ装置４０，５０，６０とを備える。モニタ装置４０，５０，６０は、モード切換スイッチとモニタ側マイコンを備える。モニタ側マイコンは、ＩＤ信号を受信した場合には同ＩＤ信号に応じた施解錠状態を監視するとともに同ＩＤ信号を中継して出力し、モード切換スイッチが操作された場合に監視モードまたは警戒モードのいずれかに切り換えるとともにその旨を示すモード切換信号を送信し、モード切換信号を受信した場合にはモード切換信号に基づいて監視モードまたは警戒モードに設定する。【選択図】      図７
2006018679.tif 000002
【特許請求の範囲】
【請求項１】
建物の開閉体の開閉状態または施解錠状態を検出して該開閉状態または該施解錠状態を示す状態信号を送信するセンサ装置と、前記センサ装置との間で通信を行って前記開閉体の開閉状態または施解錠状態を監視する監視モード及び該監視とともに前記開閉体が開かれた場合または前記開閉体が解錠された場合に警報を発する警戒モードを有するモニタ装置と、を備えたセキュリティシステムにおいて、
前記モニタ装置は、前記監視モードまたは前記警戒モードに切り換えるために操作される操作手段と、
前記状態信号を受信した場合には該状態信号に応じた開閉状態または施解錠状態を監視するとともに該状態信号を中継して出力し、前記操作手段が操作された場合に前記監視モードまたは前記警戒モードのいずれかに切り換えるとともにその旨を示すモード切換信号を送信し、該モード切換信号を受信した場合には該モード切換信号に基づいて前記監視モードと前記警戒モードとを切り換える制御手段とを備えたことを特徴とするセキュリティシステム。
【請求項２】
前記モニタ装置は、前記センサ装置から同時期に送信された前記状態信号を異なる経路により複数受信した場合、最初に受信した該状態信号のみに基づいて前記開閉体の開閉状態または施解錠状態を監視することを特徴とする請求項１に記載のセキュリティシステム。
【発明の詳細な説明】
【技術分野】
【０００１】
本発明は、建物のセキュリティシステムに関するものである。
【背景技術】
【０００２】
従来、この種のセキュリティシステムとして、例えば特許文献１に示される「建物用施錠装置の施解錠状態監視装置」が提案されている。施解錠状態監視装置は、建物の窓に配設されたセンサ装置と該センサ装置と通信可能なモニタ装置とから構成されている。センサ装置は、窓のクレセント錠の施解錠状態を検出してその施解錠状態を示す状態信号を送信する。状態信号を受信したモニタ装置は、状態信号に基づいて窓の施解錠状態を監視する。センサ装置は、このようにしてクレセント錠の施解錠状態を監視するのみの監視モードに加え、クレセント錠が解錠された場合に警報を発する警戒モードを有している。よって、ユーザ（家人）は、夜間や外出時に施解錠状態監視装置を警戒モードに切り換えておくことにより、建物内への不法侵入を抑制することができる。
【特許文献１】特開２００２−１１５４２９号公報
【発明の開示】
【発明が解決しようとする課題】
【０００３】
ところで、建物内が広い場合や建物が電波を吸収し易い構造を有している場合、センサ装置とモニタ装置とが配設される箇所によっては、センサ装置からの状態信号をモニタ装置で良好に受信できない場合がある。このような場合、モニタ装置によって、監視対象となる複数のクレセント錠の各々の施解錠状態を全て正確に把握することが困難になる。そこで、従来のセキュリティシステムでは、状態信号を良好に受信できないおそれのある箇所に、受信性能を向上させた特別仕様のモニタ装置を配設することにより上記問題に対応している。こうすれば、センサ装置からの状態信号をモニタ装置で確実に受信できるようになる反面、セキュリティシステムの構築コストが高騰するといった新たな問題が生じる。また、近年においては、セキュリティレベルの高いセキュリティシステムが一層要望されている。
【０００４】
本発明は、こうした実情に鑑みてなされたものであり、その目的は、構築コストを抑制しつつセキュリティレベルを向上させることができるセキュリティシステムを提供することにある。
【課題を解決するための手段】
【０００５】
上記の課題を解決するために、請求項１に記載の発明では、建物の開閉体の開閉状態または施解錠状態を検出して該開閉状態または該施解錠状態を示す状態信号を送信するセンサ装置と、前記センサ装置との間で通信を行って前記開閉体の開閉状態または施解錠状態を監視する監視モード及び該監視とともに前記開閉体が開かれた場合または前記開閉体が解錠された場合に警報を発する警戒モードを有するモニタ装置と、を備えたセキュリティシステムにおいて、前記モニタ装置は、前記監視モードまたは前記警戒モードに切り換えるために操作される操作手段と、前記状態信号を受信した場合には該状態信号に応じた開閉状態または施解錠状態を監視するとともに該状態信号を中継して出力し、前記操作手段が操作された場合に前記監視モードまたは前記警戒モードのいずれかに切り換えるとともにその旨を示すモード切換信号を送信し、該モード切換信号を受信した場合には該モード切換信号に基づいて前記監視モードと前記警戒モードとを切り換える制御手段とを備えたことを要旨とする。
【０００６】
請求項２に記載の発明では、請求項１に記載のセキュリティシステムにおいて、前記モニタ装置は、前記センサ装置から同時期に送信された前記状態信号を異なる経路により複数受信した場合、最初に受信した該状態信号のみに基づいて前記開閉体の開閉状態または施解錠状態を監視することを要旨とする。
【０００７】
以下、本発明の作用について説明する。
請求項１に記載の発明によれば、モニタ装置は、センサ装置から送信された状態信号を中継して送信する。このため、モニタ装置は、センサ装置から送信された状態信号を直接受信できない場合でも、該センサ装置からの状態信号を他のモニタ装置を介して間接的に受信することが可能となる。よって、各モニタ装置は、他のモニタ装置から送信される状態信号を受信可能な領域内に配設されることにより、各センサ装置からの状態信号の直接的な受信の可否に拘らず開閉体の開閉状態または施解錠状態を監視することができる。したがって、本発明のセキュリティシステムによれば、特別仕様のモニタ装置が不要となるため、セキュリティシステムの構築コストを抑制することができる。
【０００８】
更に、モニタ装置は、他のモニタ装置から該モニタ装置におけるモードを示すモード切換信号を受信した場合、モード切換信号に基づいて監視モードと警戒モードとを切り換える。すなわち、複数のモニタ装置の内一つでも警戒モードに切り換わると、それに連動して、残りの他のモニタ装置も警戒モードに切り換わることになる。このため、警戒モードにおいて開閉体が開かれた場合や解錠された場合をセンサ装置が検出した場合には、複数のモニタ装置の全てが警報を発する。したがって、本発明のセキュリティシステムによれば、操作手段を操作して全てのモニタ装置を警戒モードに切り換えるといった煩雑な操作を必要としないで建物のセキュリティレベルを向上させることができる。
【０００９】
請求項２に記載の発明によれば、モニタ装置は、センサ装置から同時期に送信された状態信号を直接的に受信するとともに他のモニタ装置を介して間接的に受信した場合、両者のうち最初に受信した該状態信号のみに基づいて開閉体の開閉状態または施解錠状態を監視する。したがって、本発明のセキュリティシステムによれば、開閉体の開閉状態または施解錠状態の変化を早期に認識することができる。
【発明の効果】
【００１０】
本発明によれば、構築コストを抑制しつつセキュリティレベルを向上させることができるセキュリティシステムを提供できる。
【発明を実施するための最良の形態】
【００１１】
以下、本発明を住宅用セキュリティシステムとして具体化した一実施形態を図１〜図７に基づいて詳細に説明する。
図１に示すように、住宅１は、複数の部屋から構成されている。本実施形態において住宅１は、玄関ホール２、第１寝室３、子供部屋４、及び第２寝室５を備えている。第１寝室３は、開閉体としての窓１０を備え、同窓１０にはセンサ装置としての第１センサ装置２０が配設されている。同様に、第２寝室５は、開閉体としての窓１１を備え、同窓１１にはセンサ装置としての第２センサ装置３０が配設されている。窓１０及び窓１１は、本実施形態では共に引き違い式窓である。玄関ホール２には、モニタ装置としての第１モニタ装置４０が配設され、子供部屋４には、同じくモニタ装置としての第２モニタ装置５０が配設されている。更に、第２寝室５には、モニタ装置としての第３モニタ装置６０が配設されている。第１モニタ装置４０は、第２センサ装置３０から十分離れた位置に、すなわち、第２センサ装置３０からの無線信号を直接的には受信できない箇所に配設されている。同様に、第３モニタ装置６０は、第１センサ装置２０から十分離れた位置に、すなわち、第１センサ装置２０からの無線信号を直接的には受信できない箇所に配設されている。本実施形態においては、センサ装置２０，３０と、モニタ装置４０，５０，６０とによってセキュリティシステム１００が構成されている。セキュリティシステム１００は、第１モニタ装置４０と第２モニタ装置５０とが直接的に通信可能である。一方、セキュリティシステム１００は、第２モニタ装置５０と第３モニタ装置６０とが直接的に通信可能である。他方、セキュリティシステム１００は、第１モニタ装置４０と第３モニタ装置６０とが直接的には通信不能である。
【００１２】
このように構成されたセキュリティシステム１００において、第１センサ装置２０は、窓１０の図示しないクレセント錠の施解錠状態を示す第１ＩＤ信号を送信し、第２センサ装置３０は、窓１１の図示しないクレセント錠の施解錠状態を示す第２ＩＤ信号を送信する。モニタ装置４０，５０，６０は、センサ装置２０，３０からの第１ＩＤ信号及び第２ＩＤ信号を監視することによって第三者の住宅１への侵入を監視する。以下、このようなセキュリティシステム１００について説明する。なお、第１センサ装置２０及び第２センサ装置３０は同様の構成であり、第１モニタ装置４０、第２モニタ装置５０、及び第３モニタ装置６０は同様の構成である。このため、以下、第1センサ装置２０及び第１モニタ装置４０について詳細に説明し、第２センサ装置３０及びモニタ装置５０，６０についての詳細な説明は省略する。
【００１３】
図２に示すように、第１センサ装置２０は、電池２１、センサ側マイクロコンピュータ（センサ側マイコン）２２、センサ側送信回路２３、及びリードスイッチ２４を備えている。電池２１は、センサ側マイコン２２及びセンサ側送信回路２３に対して電力を供給する。センサ側送信回路２３は、センサ側マイコン２２から入力された第１ＩＤ信号を変調して送信する。
【００１４】
リードスイッチ２４は、窓１０の図示しないクレセント錠の操作ノブに内蔵されたマグネットの磁界によってクレセント錠の施解錠状態を検出する。リードスイッチ２４は、クレセント錠が施錠されている場合にはオン状態となり、クレセント錠が解錠されている場合にはオフ状態となる。
【００１５】
センサ側マイコン２２は、図示しないＣＰＵ及びＲＯＭを備えている。ＲＯＭには、第１センサ装置２０に固有の第１ＩＤコードが記録されている。センサ側マイコン２２は、リードスイッチ２４のオン・オフ状態を監視し、オン状態からオフ状態に変化した場合には第１ＩＤコード及び開コードを含む第１ＩＤ信号を、オフ状態からオン状態に変化した場合には第１ＩＤコード及び閉コードを含む第１ＩＤ信号をセンサ側送信回路２３に出力する。また、センサ側マイコン２２は、所定時間が経過する毎にリードスイッチ２４のオン・オフ状態を検出して、閉コードまたは開コードを含む第１ＩＤ信号をセンサ側送信回路２３に出力する。
【００１６】
第１モニタ装置４０は、図１に示すように、屋内側壁の玄関ドア６の近傍に設置されている。図３に示すように、第１モニタ装置４０は、電源回路４１、バックアップ電池４２、受信回路４３ａ、モニタ側送信回路４３ｂ、制御手段としてのモニタ側マイクロコンピュータ（モニタ側マイコン）４４、及びインタフェース部４５を備えている。
【００１７】
電源回路４１には、家庭用電源であるＡＣ１００Ｖ電源及びバックアップ電池４２が接続されている。電源回路４１は、図示しない降圧回路を備え、入力されたＡＣ１００Ｖの電圧を降圧して受信回路４３ａ、モニタ側送信回路４３ｂ、及びモニタ側マイコン４４に電力を供給する。また、電源回路４１は、ＡＣ１００Ｖ電源の電圧降下から停電を検知した場合には、受信回路４３ａ、モニタ側送信回路４３ｂ及びモニタ側マイコン４４にバックアップ電池４２から電力を供給するようになっている。
【００１８】
受信回路４３ａは、第１センサ装置２０や第２モニタ装置５０から送信されてくる信号を受信すると、これら受信した各信号を復調してモニタ側マイコン４４に出力する。モニタ側送信回路４３ｂは、モニタ側マイコン４４から入力された信号を変調して送信する。
【００１９】
インタフェース部４５は、図４に併せ示すように、操作手段としてのモード切換スイッチ（モード切換ＳＷ）４６、施解錠状態表示部４７、警報ブザー４８、及びモード表示部４９を備えている。これらモード切換ＳＷ４６、施解錠状態表示部４７、警報ブザー４８、及びモード表示部４９は、いずれも第１モニタ装置４０の意匠面に設けられている。モード切換ＳＷ４６は、押圧操作されると、その操作信号をモニタ側マイコン４４に出力する。施解錠状態表示部４７は、第１警戒ＬＥＤ４７ａ及び第２警戒ＬＥＤ４７ｂを備え、第１警戒ＬＥＤ４７ａの下方には窓１０を示す表記（例えば「２階東側窓」の表示）が、第２警戒ＬＥＤ４７ｂの下方には窓１１を示す表記（例えば「２階西側窓」の表示）が施されている。これらＬＥＤ４７ａ，４７ｂは、モニタ側マイコン４４からの指示に基づいて赤色または緑色に発光する。警報ブザー４８は、モニタ側マイコン４４から警報信号が入力された場合に鳴動する。モード表示部４９は、警戒モードＬＥＤ及び監視モードＬＥＤにより構成され、各ＬＥＤは、モニタ側マイコン４４からの指示に基づいて点灯する。
【００２０】
モニタ側マイコン４４は、図示しないＣＰＵを備えている。モニタ側マイコン４４は、警戒モードと監視モードとを選択的に切り換えるモード切換制御を所定時間毎に行う。また、両モードにおいてモニタ側マイコン４４は、受信した信号を中継して送信する中継制御を行う。更に、警戒モードにおいてモニタ側マイコン４４は、窓１０，１１のクレセント錠の施解錠状態を監視してクレセント錠が解錠されたことを検出した場合に警報を発するセキュリティ制御を行う。以下、モニタ側マイコン４４が行うモード切換制御、中継制御及びセキュリティ制御について詳細に説明する。
【００２１】
＜モード切換制御＞
モニタ側マイコン４４が行うモード切換制御を図５に示すフローチャートに従って説明する。
【００２２】
図５に示すようにモニタ側マイコン４４は、ステップ２００において、モード切換ＳＷ４６が操作されたか否かを判断する。モード切換ＳＷ４６が操作されたと判断した場合、モニタ側マイコン４４は、ステップ２０１において、第１モニタ装置４０のモード（モード切換ＳＷ４６が操作される前のモード）を示すモードフラグが「１」であるか否かを判断する。モードフラグが「１」である場合、モニタ側マイコン４４は、ステップ２０２において監視モードから警戒モードに切り換えて、続くステップ２０３においてモードフラグを「０」にセットする。そして、ステップ２０４においてモニタ側マイコン４４は、監視モードから警戒モードに切り換えたことを示すモードコード（本実施形態では「０」）を含むモード切換信号を送信して処理を一旦終了する。なお、モードフラグの値は、モニタ装置４０が警戒モードである場合には「０」、モニタ装置４０が監視モードである場合には「１」である。
【００２３】
モニタ側マイコン４４は、ステップ２０１においてモードフラグが「０」であると判断した場合、ステップ２０５において警戒モードから監視モードに切り換えて、続くステップ２０６においてモードフラグを「１」にセットする。そして、ステップ２０７においてモニタ側マイコン４４は、警戒モードから監視モードに切り換えたことを示すモードコード（本実施形態では「１」）を含むモード切換信号を送信して処理を一旦終了する。
【００２４】
一方、モニタ側マイコン４４は、ステップ２００においてモード切換ＳＷ４６が操作されていない場合には、ステップ２０８においてモード切換信号を受信したか否かを判断する。モニタ側マイコン４４は、モード切換信号を受信していないと判断した場合には処理を一旦終了し、モード切換信号を受信したと判断した場合には、ステップ２０９においてモード切換信号に含まれるモードコードが「０」であるか否かを判断する。
【００２５】
ステップ２０９においてモードコードが「０」であると判断した場合、モニタ側マイコン４４は、ステップ２１０において第１モニタ装置４０を警戒モードに設定して処理を一旦終了する。すなわち、モニタ側マイコン４４は、モード切換信号を受信する前の第１モニタ装置４０のモードが警戒モードである場合には警戒モードを維持し、監視モードである場合には監視モードから警戒モードに切り換える。一方、ステップ２０９においてモードコードが「１」であると判断した場合には、モニタ側マイコン４４は、ステップ２１１において第１モニタ装置４０を監視モードに設定して処理を一旦終了する。すなわち、モニタ側マイコン４４は、モード切換信号を受信する前の第１モニタ装置４０のモードが警戒モードである場合には警戒モードから監視モードに切り換え、監視モードである場合には監視モードを維持する。このように、モニタ側マイコン４４は、モード切換信号を受信した場合には、そのモード切換信号に基づいて監視モードまたは警戒モードに設定する。
【００２６】
次に、第１モニタ装置４０と第２モニタ装置５０と第３モニタ装置６０との間におけるモード切換信号の流れについて説明する。図６は、モニタ装置４０，５０，６０の三者間におけるモード切換信号の流れを模式的に示したものである。なお、第２モニタ装置５０及び第３モニタ装置６０における各部材番号は、第１モニタ装置４０における各部材番号の十の位をそれぞれ「５」、「６」に変更することにより以下表現する。
【００２７】
前述したように、各モニタ装置４０，５０，６０は、それぞれモード切換ＳＷ４６，５６，６６の押圧操作に基づいてモードを切り換え、そのモードを示すモード切換信号を送信する。例えば、第３モニタ装置６０は、モード切換ＳＷ６６が押圧操作されると監視モードから警戒モードに切り換えて、監視モードから警戒モードに切り換えた旨を示すモード切換信号を送信する（図６に実線で示す）。このモード切換信号を受信した第２モニタ装置５０は、警戒モードに設定するとともに、警戒モードである旨を示すモード切換信号を送信する。同様に、第２モニタ装置５０から送信されたモード切換信号を受信した第１モニタ装置４０は、警戒モードに設定するとともに、警戒モードである旨を示すモード切換信号を送信する。このように、第１モニタ装置４０は、本実施形態におけるように第３モニタ装置６０から送信されたモード切換信号を受信することができなくとも（図６に破線で示す）、第２モニタ装置５０を介してモード切換信号を受信することで警戒モードに設定する。すなわち、モニタ装置４０，５０，６０のうちのいずれかが監視モードから警戒モードに切り換わると、他のモニタ装置４０，５０，６０も連動して監視モードから警戒モードに切り換わることになる。
【００２８】
＜中継制御＞
次に、モニタ側マイコン５４が行う中継制御について説明する。
モニタ側マイコン５４は、第１ＩＤ信号を受信した場合には同第１ＩＤ信号を、第２ＩＤ信号を受信した場合には同第２ＩＤ信号をそれぞれモニタ側送信回路５３ｂを介して送信する。すなわち、第２モニタ装置５０は、受信した第１ＩＤ信号または第２ＩＤ信号を中継する機能を果たす。図７は、モニタ装置４０，５０，６０の三者間における第１ＩＤ信号及び第２ＩＤ信号の流れを模式的に示したものである。このように、モニタ装置４０，５０，６０の三者間で第１ＩＤ信号及び第２ＩＤ信号が送受信されるため、各モニタ装置４０，６０は、センサ装置２０，３０からの第１ＩＤ信号または第２ＩＤ信号を直接受信できない場合（図７に破線で示す）でも、モニタ装置５０を介して間接的にそれらＩＤ信号を受信することができる。例えば、図７に破線で示すように、第２センサ装置３０から送信された第２ＩＤ信号を第１モニタ装置４０で受信できない状況下では、第１モニタ装置４０は、第２ＩＤ信号を受信した第２モニタ装置５０を介して第２ＩＤ信号を受信することになる。
【００２９】
また、モニタ側マイコン５４は、第１センサ装置２０から同一の時点において送信された第１ＩＤ信号を異なった経路により受信した場合、すなわち第１ＩＤ信号を直接受信するとともに、例えば第１モニタ装置４０を介して間接的に受信した場合には、受信したいずれか一方の第１ＩＤ信号のみを中継する。本実施形態においては、モニタ側マイコン５４は、所定時間内に２つの第１ＩＤ信号を受信した場合、最初に受信した第１ＩＤ信号のみを中継するようになっている。同様に、モニタ側マイコン５４は、第２センサ装置３０から同一の時点において送信された第２ＩＤ信号を異なった経路により受信した場合には、いずれか一方の第２ＩＤ信号のみを中継する。
【００３０】
＜セキュリティ制御＞
監視モードまたは警戒モードにおいてモニタ側マイコン４４は、第１センサ装置２０から送信された第１ＩＤ信号及び第２センサ装置３０から送信された第２ＩＤ信号を直接的または間接的に受信した場合、各ＩＤ信号に含まれる開コードまたは閉コードに基づいて施解錠状態表示部４７を作動させる。モニタ側マイコン４４は、受信した第１ＩＤ信号に閉コードが含まれている場合、第１警戒ＬＥＤ４７ａを緑色に点灯させ、受信した第１ＩＤ信号に開コードが含まれている場合には第１警戒ＬＥＤ４７ａを赤色に点灯させる。また、モニタ側マイコン４４は、受信した第２ＩＤ信号に閉コードが含まれている場合、第２警戒ＬＥＤ４７ｂを緑色に点灯させ、受信した第２ＩＤ信号に開コードが含まれている場合には第２警戒ＬＥＤ４７ｂを赤色に点灯させる。つまり、モニタ側マイコン４４は、警戒モードと監視モードとにおいて、第１センサ装置２０と対応する窓１０におけるクレセント錠の施解錠状態、及び第２センサ装置３０と対応する窓１１におけるクレセント錠の施解錠状態を監視し、それら状態を施解錠状態表示部４７の第１警戒ＬＥＤ４７ａ及び第２警戒ＬＥＤ４７ｂの点灯色によって報知する。
【００３１】
また、モニタ側マイコン４４は、警戒モードにおいては更に以下の処理を行う。
警戒モードにおいてモニタ側マイコン４４は、第１ＩＤ信号に開コードが含まれている場合には施解錠状態表示部４７の第１警戒ＬＥＤ４７ａを赤色に点灯させるとともに、警報ブザー４８に警報信号を出力する。また、モニタ側マイコン４４は、第２ＩＤ信号に開コードが含まれている場合には施解錠状態表示部４７の第２警戒ＬＥＤ４７ｂを赤色に点灯させるとともに、警報ブザー４８に警報信号を出力する。つまり、窓１０のクレセント錠が施錠状態から解錠状態に変化すると、施解錠状態表示部４７の第１警戒ＬＥＤ４７ａが緑色点灯から赤色点灯に変わって警報ブザー４８が鳴動する。一方、窓１１のクレセント錠が施錠状態から解錠状態に変化すると、施解錠状態表示部４７の第２警戒ＬＥＤ４７ｂが緑色点灯から赤色点灯に変わって警報ブザー４８が鳴動することになる。
【００３２】
従って、本実施形態によれば以下のような効果を得ることができる。
（１）モニタ装置４０，５０、６０は、センサ装置２０，３０から送信された第１ＩＤ信号または第２ＩＤ信号を中継する。このため、モニタ装置４０，５０，６０は、モニタ装置４０，５０，６０とセンサ装置２０，３０との配設箇所や住宅の構造によりモニタ装置４０，５０，６０がセンサ装置２０，３０からのＩＤ信号を受信できない場合においても、センサ装置２０，３０からの第１ＩＤ信号または第２ＩＤ信号を確実に受信することができる。また、これらモニタ装置４０，５０，６０は、第１ＩＤ信号及び第２ＩＤ信号に基づいて窓１０，１１のクレセント錠の施解錠状態を監視する。よって、モニタ装置４０，５０，６０は、センサ装置２０，３０とモニタ装置４０，５０，６０とが無線通信不能な箇所に配設される場合でも、モニタ装置４０，５０，６０内で第１ＩＤ信号及び第２ＩＤ信号を送受信できる状態であれば、窓１０，１１のクレセント錠の施解錠状態を確実に監視することができる。したがって、本発明のセキュリティシステム１００によれば、特別仕様のモニタ装置を用いてセキュリティシステム１００を構成しなくて済むため、セキュリティシステム１００の構築コストを抑制することができる。
【００３３】
（２）モニタ装置４０，５０，６０の内一つでも監視モードから警戒モードに切り換わると、それに連動して、残りのモニタ装置４０，５０，６０も監視モードから警戒モードに切り換わる。モニタ装置４０，５０，６０は、警戒モードにおいて開コードを含む第１ＩＤ信号または第２ＩＤ信号を受信した場合には警報ブザー４８を鳴動させる。つまり、窓１０または窓１１のクレセント錠が解錠された場合には、モニタ装置４０，５０，６０の全てが警報を発することになる。したがって、本発明のセキュリティシステム１００によれば、クレセント錠を不正に解錠した第三者を効果的に威嚇することができ、住宅１のセキュリティレベルを一層向上させることができる。
【００３４】
（３）モニタ装置４０，５０，６０のうちの少なくとも一つ、例えばモニタ装置４０のモード切換ＳＷ４６を押圧操作して監視モードから警戒モードに切り換えると、残りのモニタ装置５０，６０も連動して監視モードから警戒モードに切り換わる。また、例えばモニタ装置４０のモード切換ＳＷ４６を押圧操作して警戒モードから監視モードに切り換えると、残りのモニタ装置５０，６０も連動して警戒モードから監視モードに切り換わる。つまり、ユーザは、モニタ装置４０，５０，６０のうち身近にあるものを操作することにより、モニタ装置４０，５０、６０の全てを監視モードから警戒モードへ、または警戒モードから監視モードへ切り換えることができる。したがって、モニタ装置４０，５０，６０のモードを切り換える際の煩雑さが解消され、セキュリティシステム１００の利便性を向上させることができる。
【００３５】
（４）モニタ側マイコン４４は、センサ装置２０，３０から同一の時点において送信された第１ＩＤ信号または第２ＩＤ信号を異なった経路により受信した場合には、最初に受信した第１ＩＤ信号または第２ＩＤ信号のみを中継する。仮に、受信した第１ＩＤ信号及び第２ＩＤ信号の全てをモニタ装置４０，５０，６０が中継しようとすると、これら三者間で送受信される第１ＩＤ信号及び第２ＩＤ信号の数が増加するため、モニタ側マイコン４４，５４，６４に処理上の負荷がかかってしまう。よって、セキュリティシステム１００によれば、モニタ側マイコン４４，５４，６４の処理上の負担を抑制することができる。また、最初に受信したＩＤ信号が中継されることから、モニタ装置４０，５０，６０は、窓１０，１１におけるクレセント錠の施解錠状態の変化を早期に認識することができる。
【００３６】
（５）各モニタ装置４０，５０，６０により第１ＩＤ信号及び第２ＩＤ信号が中継されるため、モニタ装置４０，５０，６０の配設箇所は、第１ＩＤ信号及び第２ＩＤ信号を直接受信することができる領域内でなくてもよい。このため、セキュリティシステム１００によれば、モニタ装置４０，５０，６０を配設する箇所についての自由度を向上させることができるとともに、各モニタ装置４０，５０，６０を汎用品として製造することが可能である。したがって、セキュリティシステム１００の利便性を向上させることができるとともに、中継器を新たに設けたり特注品のモニタ装置を用いたりすることなくセキュリティシステム１００を構築することが可能となり、セキュリティシステム１００の構築コストを抑制できる。
【００３７】
なお、本発明の実施形態は以下のように変更してもよい。
・前記実施形態においてモニタ側マイコン４４が送信するモード切換信号は、警戒モードを示すモード切換信号と監視モードを示すモード切換信号との２種類に限定されない。例えば、警戒モードを警戒の程度に応じて複数段階（例えば、監視モードと警報ブザーを鳴らす第１警戒モードとこれらに加えてセキュリティセンタに通報する第２警戒モードとの３段階）に分けてもよい。この場合、モニタ側マイコン４４は、モード切換ＳＷ４６の押圧操作に応じて、第１警戒モードを示すモード切換信号と第２警戒モードを示すモード切換信号と監視モードを示すモード切換信号との３種類のモード切換信号を送信可能な構成に変更されてもよい。
【００３８】
・前記実施形態においてモニタ側マイコン４４は、センサ装置２０，３０から同一の時点において送信された第１ＩＤ信号または第２ＩＤ信号を異なった経路により受信した場合には、最初に受信した第１ＩＤ信号または第２ＩＤ信号のみを中継する。しかし、この場合にモニタ側マイコン４４は、最初に受信した第１ＩＤ信号または第２ＩＤ信号のみを中継するのではなく、例えば、所定時間内に第１ＩＤ信号を２つ受信した場合に第１ＩＤ信号を中継するようにしてもよい。
【００３９】
・前記実施形態において、開閉体は窓１０，１１に限定されない。例えば、開閉体として玄関ドア６が適用されてもよい。この場合、玄関ドア６には第３センサ装置が配設され、同第３センサ装置は玄関ドア６が開かれたときに開コードを含む第３ＩＤ信号を送信するように構成される。モニタ装置４０，５０，６０は、第３ＩＤ信号を受信した場合には同第３ＩＤ信号を中継するようにしてもよい。また、モニタ装置４０，５０，６０は、警戒モードにおいて、開コードを含む第３ＩＤ信号を受信した場合にも警報を発するようにしてもよい。このようにすれば、玄関ドア６からの侵入も監視することができるため、セキュリティシステム１００のセキュリティレベルを一層向上させることができる。
【００４０】
次に、前記実施形態から把握できる技術的思想について以下に追記する。
（１）建物の開閉体の開閉状態または施解錠状態を検出して該開閉状態または該施解錠状態を示す状態信号を送信するセンサ装置と、前記センサ装置との間で通信を行って前記開閉体の開閉状態または施解錠状態を監視するモニタ装置と、を備えたセキュリティシステムにおいて、前記モニタ装置は、前記状態信号を受信した場合には該状態信号に応じた開閉状態または施解錠状態を監視するとともに該状態信号を中継して出力する制御手段とを備えたこと。
【００４１】
（２）技術的思想（１）に記載の発明において、監視モードまたは警戒モードに切り換えるために操作される操作手段を備え、前記制御手段は、前記開閉体の開閉状態または施解錠状態を監視する監視モード及び該監視とともに前記開閉体が開かれた場合または前記開閉体が解錠された場合に警報を発する警戒モードを有し、前記操作手段が操作された場合に前記監視モードまたは前記警戒モードのいずれかに切り換えるとともにその旨を示すモード切換信号を送信し、該モード切換信号を受信した場合には該モード切換信号に基づいて前記監視モードと前記警戒モードとを切り換えること。
【００４２】
（３）技術的思想（１），（２）に記載の発明において、前記開閉体は、前記建物に備えられた窓であること。
【図面の簡単な説明】
【００４３】
【図１】本実施形態におけるセキュリティシステムが設けられた住宅の横断面図。
【図２】同じく、第１センサ装置のブロック図。
【図３】同じく、第１モニタ装置のブロック図。
【図４】同じく、施解錠状態表示部の概略外観図
【図５】同じく、モニタ側マイコンが行うモード切換制御のフローチャート。
【図６】同じく、各モニタ装置間におけるモード切換信号の流れを示す模式図。
【図７】同じく、セキュリティシステムにおける第１ＩＤ信号及び第２ＩＤ信号の流れを示す模式図。
【符号の説明】
【００４４】
２０…センサ装置としての第１センサ装置、３０…センサ装置としての第２センサ装置、４０…モニタ装置としての第１モニタ装置、４４，５４，６４…制御手段としてのモニタ側マイクロコンピュータ、４６，５６，６６…操作手段としてのモード切換ＳＷ、５０…モニタ装置としての第２モニタ装置、６０…モニタ装置としての第３モニタ装置、１００…セキュリティシステム。
【図１】
2006018679.tif 000003
【図２】
2006018679.tif 000004
【図３】
2006018679.tif 000005
【図４】
2006018679.tif 000006
【図５】
2006018679.tif 000007
【図６】
2006018679.tif 000008
【図７】
2006018679.tif 000009